(57)【特許請求の範囲】
【請求項１】
取り出し口を有する包装体内に、折り畳まれ、他の衛生シートを挟み込むように配置される複数の衛生シートからなる衛生シート積層体であって、
折り畳まれた前記衛生シートは、積層状態で、最も前記取り出し口側に位置する第１領域と、前記第１領域と重なるように配置される第２領域と、これら第１領域と第２領域を接続する折り曲げ部を有し、
前記取り出し口から最初に取り出されるべき位置に配置される前記衛生シートである第１取り出し衛生シートの前記折り曲げ部及び少なくとも、前記第２領域の一部が、前記第１取り出し衛生シートの次に取り出されるべき前記衛生シートである第２取り出し衛生シートの前記第１領域上に重なるように配置され、
前記第１取り出し衛生シートと前記第２取り出し衛生シートを除き、他の前記衛生シートの前記折り曲げ部は、積層状態で相互に対向するように配置されていることを特徴とする衛生シート積層体。
【請求項２】
前記折り曲げ部の形成方向に直交する方向におけるシート端部側から前記第１領域、前記折り曲げ部及び前記第２領域が順に並んで形成されることを特徴とする請求項１に記載の衛生シート積層体。
【請求項３】
前記第１取り出し衛生シートの前記折り曲げ部及び／又は前記シート端部の少なくとも一部が、前記取り出し口に臨まされるように配置されることを特徴とする請求項２に記載の衛生シート積層体。
【請求項４】
少なくとも、前記シート端部が前記取り出し口に臨まされるように配置され、
前記取り出し口に臨まされている前記第１取り出し衛生シートの前記第１領域の面積が、前記取り出し口の面積の半分未満であり、
前記シート端部が、前記取り出し口の中央部より前記取り出し口の端部側に配置され、
前記折り曲げ部が前記シート端部より前記取り出し口の端部側に配置されていることを特徴とする請求項３に記載の衛生シート積層体。
【請求項５】
請求項１乃至請求項４のいずれか１項に記載の前記衛生シート積層体を有する衛生シート包装体。
【発明の詳細な説明】
【技術分野】
【０００１】
本発明は、例えば、ティシュ等のように折り畳まれて容器等に収容される衛生シートを積層した衛生シート積層体及びかかる衛生シート積層体を有する衛生シート包装体に関するものである。
【背景技術】
【０００２】
従来、例えば、複数のティシュ等を積層して容器等に収容する場合は、それぞれを三つ折りにして、重ねて収容している。そして、利用者は、容器等に形成された取り出し口から、この重ねられたティシュを上から順に取り出す構成となっている。
また、このように重ねて配置されたティシュは、利用者が取り出し易いように、次に引き出される予定のティシュの一部が、取り出し口から突出するように配置される。これをポップアップ方式という。
【０００３】
すなわち、ポップアップ方式では、１枚のティシュを取出口から取り出すと、その下に配置されているティシュの一部が取出口から突出するように配置される。
そして、このようなポップアップ方式を可能にするためには、容器等に収容されている折り畳まれたティシュの一部が、他のティシュの一部と重なるように配置されている必要がある。
そして、このようにティシュを配置するための折り畳み方が従来から種々提案されてきた（例えば、特許文献１）。
【先行技術文献】
【特許文献】
【０００４】
【特許文献１】米国特許第３４６２０４３号公報（図９等）
【発明の概要】
【発明が解決しようとする課題】
【０００５】
図１２は、特許文献１に示すティシュの積層状態を説明するための概略説明図である。なお、符号は参照用に出願人が付した。
図１２に示すように、容器１０００内には、三つ折りに折り畳まれているテッシュ（ウエブ）１０１０ａ等は、ポップアップ方式で引き出されるように配置されているため、取り出し口３００ａ側に配置されている１枚目に取り出されるべきテッシュ１０１０ａの上面と２枚目に取り出されるテッシュ１０１０ｂの上面が並んで配置されることになる。
すなわち、テッシュ１０１０ａの折り曲げ部１０１０ａａと１０１０ｂの折り曲げ部１０１０ｂａが、相互に対向して配置されている。
【０００６】
図１３は、図１２の取り出し口３００ａにおけるテッシュ１０１０ａの状態を示す概略平面図である。
図１３に示すように、容器１０００内に配置された１枚目のテッシュ１０１０ａと２枚目のテッシュ１０１０ｂとは、並んで配置されると共に、それらの高さもほぼ同様となる。
このため、利用者は、いずれが１枚目かを判別することができず、誤って２枚目を摘んで取り出した場合、１枚目と２枚目とが同時に排出されるという問題があった。
【０００７】
そこで、本発明は、利用者が容器内の最も取り出し口側に配置される１枚目の衛生シートをその引き出し順にしたがって取り出し易い衛生シート積層体及びかかる衛生シート積層体を有する衛生シート包装体を提供することを目的とする。
【課題を解決するための手段】
【０００８】
前記目的は、本発明によれば、取り出し口を有する包装体内に、折り畳まれ、他の衛生シートを挟み込むように配置される複数の衛生シートからなる衛生シート積層体であって、折り畳まれた前記衛生シートは、積層状態で、最も前記取り出し口側に位置する第１領域と、前記第１領域と重なるように配置される第２領域と、これら第１領域と第２領域を接続する折り曲げ部を有し、前記取り出し口から最初に取り出されるべき位置に配置される前記衛生シートである第１取り出し衛生シートの前記折り曲げ部及び少なくとも前記第２領域の一部が、前記第１取り出し衛生シートの次に取り出されるべき前記衛生シートである第２取り出し衛生シートの前記第１領域上に重なるように配置され、前記第１取り出し衛生シートと前記第２取り出し衛生シートを除き、他の前記衛生シートの前記折り曲げ部は、積層状態で相互に対向するように配置されていることを特徴とする衛生シート積層体により達成される。
【０００９】
前記構成によれば、第１取り出し衛生シートの折り曲げ部が第２取り出し衛生シート上に配置されているため、利用者は、誤ることなく第１取り出し衛生シートを把握することができ、その第１取り出し衛生シートを摘むことで取り出し口から引き出すことができる。
したがって、利用者が誤って第２取り出し衛生シートを摘んで、取り出すことを未然に防止することができる。
また、前記構成によれば、折り曲げ部が他の衛生シート上に配置されているのは、第１取り出し衛生シートのみであり、第１取り出し衛生シート及び第２取り出し衛生シート以外の衛生シートは、折り曲げ部が相互に重なることなく、対向して配置される。
したがって、衛生シート積層体全体が必要以上に厚くなることを有効に防止することができる。
【００１０】
好ましくは、本発明に係る衛生シート積層体は、折り曲げ部の形成方向に直交する方向におけるシート端部側から前記第１領域、前記折り曲げ部及び前記第２領域が順に並んで形成されることを特徴とする。
【００１１】
前記構成によれば、取り出し口側に第１取り出し衛生シートのシート端部と折り曲げ部を配置させることができ、利用者は、第１取り出し衛生シートをより間違うことなく把握することができる。
【００１２】
好ましくは、本発明に係る衛生シート積層体は、前記第１取り出し衛生シートの前記折り曲げ部及び／又は前記シート端部の少なくとも一部が、前記取り出し口に臨まされるように配置されることを特徴とする。
【００１３】
前記構成によれば、利用者は、第１取り出し衛生シートを摘むときに、折り曲げ部又はシート端部、若しくはいずれかを選択的に摘むことができる。
したがって、利用者にとって第１取り出し衛生シートを把握し易く、摘み易い構成となっている。
【００１４】
好ましくは、本発明に係る衛生シート積層体は、少なくとも、前記シート端部が前記取り出し口に臨まされるように配置され、前記取り出し口に臨まされている前記第１取り出し衛生シートの前記第１領域の面積が、前記取り出し口の面積の半分未満であり、前記シート端部が、前記取り出し口の中央部より前記取り出し口の端部側に配置され、前記折り曲げ部が前記シート端部より前記取り出し口の端部側に配置されていることを特徴とする。
【００１５】
前記構成によれば、シート端部側の取り出し口の端部と反対側の端部方向から利用者が、シート端部を介して、第１取り出し衛生シートの第１領域及び第２領域の間に、自己の指等を差し入れやすく、より摘み易い構成となっている。
【００１６】
好ましくは、本発明に係る衛生シート包装体は、前記衛生シート積層体を有する。
【発明の効果】
【００１７】
本発明は、利用者が衛生シートをその引き出し順にしたがって取り出し易い衛生シート積層体及びかかる衛生シート積層体を有する衛生シート包装体を提供できるという利点がある。
【図面の簡単な説明】
【００１８】
【図１】本発明の第１の実施の形態に係るウェットティシュ包装体を示す概略斜視図である。
【図２】図１のＡ―Ａ’線概略断面図である。
【図３】（ａ）は、図２のウェットティシュ（１０ｂ等）の折り畳み線等を示す概略図であり、（ｂ）はウェットティシュ（１０ａ）の折り畳み線を示す概略図である。
【図４】図２のウェットティシュ（１０ａ）とウェットティシュ（１０ｂ）との積層構造を示す概略斜視図である。
【図５】図１の包装体本体の蓋部を取り外し、取り出し口を露出させた状態を示す概略平面図である。
【図６】本発明の第２の実施の形態に係るウェットティシュ包装体を示す概略断面図である。
【図７】図６のウェットティシュ（１００ａ）及びウェットティシュ（１０ｂ）との積層構造を示す概略斜視図である。
【図８】図６の包装体本体の取り出し口を露出させた状態を示す概略平面図である。
【図９】本発明の第３の実施の形態に係るウェットティシュ包装体を示す概略断面図である。
【図１０】図９の包装体本体の取り出し口を露出させた状態を示す概略平面図である。
【図１１】図９のウェットティシュ（５００ａ）及びウェットティシュ（１０ｂ）との積層構造を示す概略斜視図である。
【図１２】特許文献１に示すティシュの積層状態を説明するための概略説明図である。
【図１３】図１２の取り出し口におけるテッシュ１０１０ａの状態を示す概略平面図である。
【発明を実施するための形態】
【００１９】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
（第１の実施の形態）
図１及び図２に示すように、衛生シート包装体である、例えばウェットティシュ包装体１は、その内部に薬液等が含浸された衛生シートである例えばウェットティシュ１０ａ乃至１０ｄ等が積層状態で収容される包装体本体２からなる。
すなわち、これらウェットティシュ１０ａ等は、他のウェットティシュ１０ｂ等を挟み込むように折り畳まれ、このように折り畳まれたウェットティシュ１０ａ等が積層されて衛生シート積層体である例えば、ウェットティシュ積層体１０を形成している。これらの構成については、後述する。
【００２１】
本実施の形態の包装体本体２は、例えば、比較的柔軟な材質からなる所謂ピロー包装となっており、使用者が手等でその表面を押圧すると、容易に変形可能な構成となっている。
このピロー包装とは、例えば、プラスチックフィルムを枕状に包装する形態で、製品をフィルムで袋状に覆った後、左右、または上下をヒートシールで圧着する包装で方法である。
【００２２】
また、本実施の形態の包装体本体２は、プラスチックフィルム等の比較的柔軟な材質で形成しているが、本発明は、これに限らず、比較的剛性のある樹脂等の材質で形成し、使用者が手等でその表面を押圧しても容易に変形しない構成としても構わない。
また、この包装体本体２には、図１等で示すように、例えば、その上面側に、内部のウェットティシュ１０ａ等を取り出すための開口である取り出し口３が形成されている。
この取り出し口３は、図１及び図３等に示すように、貫通孔である開口（例えば、投影面上で取り出し口３を形成する端部の閉ループ内）を有している。
さらに、この取り出し口３には、図１に示すように、この取り出し口３を覆い、又は開放するための蓋部４が取り付けられている。
この蓋部４は、取り出し口３の周囲の包装体本体２と接触する接触面４ａを有している。この接触面４ａが包装体本体２と接触することで、蓋部４が取り出し口３を覆う構成となっている。
また、この接触面４ａの少なくとも一部は、接着面となっている。このため、この接着面が包装体本体２の上面（平面）に接着されることで、蓋部４が取り出し口２を確実に覆うことができ、且つ、蓋部４は、その状態を維持し易い構成となっている。
【００２３】
ウェットティシュ１０ａ等は、図２に示すように、その次に取り出されるウェットティシュ１０ｂ等、例えば、図２の場合は、その直下、すなわち、ウェットティシュ１０ａの次に取り出されるべき位置に配置されるウェットティシュ１０ｂ等を挟み込むように折り畳まれる。
このため、使用者が取り出し口３から、最も取り出し口３側に配置されているウェットティシュ１０ａ等、図２の場合は、ウェットティシュ１０ａを摘んで引き出すと、その直下に配置されているウェットティシュ１０ｂの一部が、取り出し口３から引き出されるという所謂「ポップアップ」の構成となっている。
これにより、使用者は、ウェットティシュ１０ｂを摘み易く、引き出し易い構成となっている。
【００２４】
以下、ウェットティシュ１０ａ等の折り畳み構造及び積層構造を詳細に説明する。
本実施の形態では、図２の最も取り出し口３側に配置されるウェットティシュ１０ａの折り畳み状態は、その下方に配置されるウェットティシュ１０ｂ、１０ｃ等の折り畳み構造と異なる。このため、先ず、ウェットティシュ１０ｂ、１０ｃ等の折り畳み構造から説明し、これらとの対比で、ウェットティシュ１０ａの折り畳み構造を説明する。
【００２５】
ウェットティシュ１０ｂは、図３（ａ）に示すように、その面積を約半分に区分する第１折り曲げ線Ｌ１に沿って、矢印Ｂ方向に折り曲げられると共に、ウェットティシュ１０ｂの第１折り曲げ線Ｌ１の一方側、本実施の形態では、図３（ａ）の右側の領域の面積を約半分に区分する第２折り曲げ線Ｌ２に沿って、矢印Ｃ方向に折り畳まれる。
この状態が、図２のウェットティシュ１０ｂであり、図３（ａ）に示すように、第１折り曲げ線Ｌ１と第２折り曲げ線Ｌ２によって区分された３つの各部分１０ｂａ、１０ｂｂ、１０ｂｃが形成される。
すなわち、図２に示すように、ウェットティシュ１０ｂの部分１０ｂｂの下側に部分１０ｂａが配置され、その下に部分１０ｂｃが配置される。
このとき、第２折り曲げ線Ｌ２で折り曲げられた部分は、図２に示すように折り曲げ部１０ｂｄが形成される。
【００２６】
また、同様に図２に示す、ウェットティシュ１０ｂの直下に配置されるウェットティシュ１０ｃや１０ｄも同様に折り畳まれる。
すなわち、部分１０ｃｂ、１０ｄｂの下に、それぞれ部分１０ｃａ、１０ｄａが折り曲げられて配置され、部分１０ｃａ、１０ｄａの下に、それぞれ部分１０ｃｃ、１０ｄｃが配置されることとなる。また、折り曲げ部１０ｃｄ、１０ｄｄもそれぞれ形成されることになる。
【００２７】
次に、ウェットティシュ１０ａの折り畳み構造を説明する。ウェットティシュ１０ａは、ウェットティシュ１０ａも図３（ａ）と同様に第１折り曲げ線Ｌ１で、部分１０ａｃとその他の部分１０ａｂ、１０ａａとが区分される。しかし、部分１０ａｂと部分１０ａａとは、図３（ａ）のようにほぼその面積を等分に区分する第２折り曲げ線Ｌ２とは異なり、部分１０ａｂの面積を、部分１０ａａの面積より大きくする図３（ｂ）に示す第３折り曲げ線Ｌ３により区分される。
すなわち、図３（ｂ）に示すように、ウェットティシュ１０ａの長手方向における部分１０ａａの長さＸと部分１０ａｂの長さＹは、部分１０ａｃの長さＷとほぼ等しくなっている。また、ウェットティシュ１０ａの部分１０ａａの長さＸは、部分１０ａｃの長さＷの半分より短く、部分１０ａｂの長さＹは、部分１０ａｃの長さＷの半分より長く形成されている。
このため、図２に示すウェットティシュ１０ａがウェットティシュ１０ｂの部分１０ｂｂと重なる部分の長さＺは、ウェットティシュ１０ａの部分１０ａｂの長さＹから部分１０ａａの長さＸを差し引いた長さの半分であり、これは、部分１０ａｃの長さＷから長さＸの２倍を差し引いた長さの半分となっている。
また、図２の長さＺは、上記長さＷの半分から上記長さＸを引いた長さともなっている。
そして、ウェットティシュ１０ａも上述のウェットティシュ１０ｂと同様に、部分１０ａｂの下に部分１０ａａが配置され、部分１０ａａの下に部分１０ａｃが配置され、折り曲げ部１０ａｄが形成されることになる。
【００２８】
次に、ウェットティシュ１０ａ等の積層構造について説明する。先ず、上述のように折り畳まれた各ウェットティシュ１０ａ等は、図２に示すように、ウェットティシュ１０ａが取り出し口３に最も近い位置に配置され、その下にウェットティシュ１０ｂ、更にその下にウェットティシュ１０ｃが配置され、積層される。積層される枚数は、例えば、７０枚である。
【００２９】
また、各ウェットティシュ１０ａ等は、それぞれ積層される際に、折り曲げ部１０ａｄ等から部分１０ａａ等へ向かう方向（図２の矢印Ｄ１、Ｄ２）が交互に異なるように配置される。すなわち、図２のウェットティシュ１０ａの折り曲げ部１０ａｄから部分１０ａａへ向かう方向が矢印Ｄ１の場合は、その直下に位置するウェットティシュ１０ｂの方向が逆方向の矢印Ｄ２となる。
このように隣接するウェットティシュ１０ａ等は、それぞれ異なる方向となるように配置され、各ウェットティシュ１０ａの折り曲げ部１０ａｄ等は、取り出し口３の中央側に配置される。
【００３０】
また、このように積層されるウェットティシュ１０ａ等については、上述したポップアップが可能となるように、以下のような構成となっている。
ウェットティシュ１０ａの部分１０ａｃが、その直下のウェットティシュ１０ｂの部分１０ｂａと１０ｂｃの間に挟み込まれるように配置される。
同様にウェットティシュ１０ｂ、１０ｃ等のそれぞれの部分１０ｂｃ、１０ｃｃ等が、その直下のウェットティシュ１０ｃ、１０ｄのそれぞれの部分１０ｃａ、１０ｄａと１０ｃｃ、１０ｄｃの間に挟み込まれるように配置される。
【００３１】
このように配置されることで、例えば、ウェットティシュ１０ａを利用者が摘んで、引き出した場合は、ウェットティシュ１０ａの部分１０ａｃが、直下のウェットティシュ１０ｂの部分１０ｂａに接触しているため、共にこの部分１０ｂａの全部又は一部を取り出し口３から排出させることができ、所謂ポップアップ状態となる。
このため、使用者は、取り出し口３から排出されているウェットティシュ１０ｂの一部を摘んで引き出すことで、容易にウェットティシュ１０ｂを取り出すことができると共に、同時に、次に使用するウェットティシュ１０ｃの一部を取り出し口３から排出させ、ポップアップ状態とすることができる。
【００３２】
また、上述のように積層した場合、ウェットティシュ１０ｂ、１０ｃ、１０ｄの各折り曲げ部１０ｂｄ、１０ｃｄ、１０ｄｄは、それぞれ隣接する折り曲げ部１０ｂｄ等同士が相互に対向し、向き合って配置される。そして、例えば折り曲げ部１０ｂｄが、その直下のウェットティシュ１０ｃの部分１０ｃｂ上に乗り上げることがない構成となっている。
但し、ウェットティシュ１０ａのみは、図３（ｂ）で示すように、部分１０ａｂの面積が部分１０ａａの面積より大となっているため、図２に示すように、ウェットティシュ１０ａの折り曲げ部１０ａｄが、その直下のウェットティシュ１０ｂの部分１０ｂｂ上に乗り上げて重なる構成となっている。
【００３３】
具体的には、図２に示すように、ウェットティシュ１０ａの折り曲げ部１０ａｄがウェットティシュ１０ｂの部分１０ｂｂ上に配置されると共に、例えば、部分１０ａｂ及び１０ａａの長さＺで示す範囲の部分もウェットティシュ１０ｂの部分ｂｂ上に配置される。
すなわち、図４に示すように、ウェットティシュ１０ａの折り曲げ部１０ａｄ等がウェットティシュ１０ｂの部分１０ｂｂ上に乗り上げ、重なるように配置され、ウェットティシュ１０ｂの折り曲げ部１０ｂｄを覆っている。
【００３４】
したがって、本実施の形態では、２枚目に引き出されるべきウェットティシュ１０ｂ以降の下方のウェットティシュ１０ｃ等については、上述の重なりがなく、ウェットティシュ積層体１０が必要以上に厚くならない構成となっている。
また、一方、ウェットティシュ１０ａが未だ取り出されていない状態では、ウェットティシュ１０ｂ等の一部が取り出し口３から排出される、上述のポップアップ状態とはなっていない。
このため、ウェットティシュ１０ａの折り曲げ部１０ａｄとウェットティシュ１０ｂの折り曲げ部１０ｂｄを、ウェットティシュ１０ｂ以下の折り曲げ部１０ｂｄ等と同様な構成に配置すると、利用者は、いずれが最初に引き出すべきウェットティシュ１０ａであるかを迷い、誤って先に２番目に引き出すべきウェットティシュ１０ｂを摘み、引き出すおそれがあった。
しかし、本実施の形態では、図２及び図４で示すように、ウェットティシュ１０ａの折り曲げ部１０ａｄが、２番目に引き出すべきウェットティシュ１０ｂの部分１０ｂｂの上に乗り上げて配置されている。
したがって、利用者は、誤ることなく、最初に引き出すべきウェットティシュ１０ａを認識し、選択することができる。
【００３５】
なお、ウェットティシュ１０ａ、１０ｂ、１０ｃ、１０ｄの部分１０ａｂ、１０ｂｂ、１０ｃｂ、１０ｄｃが、第１領域の一例であり、部分１０ａａ、１０ｂａ、１０ｃａ、１０ｄａが第２領域の一例である。
【００３６】
図５では、ウェットティシュ１０ａは、未だ利用者等によって取り出されていないため、ウェットティシュ１０ｂ等の一部が、取り出し口３から引き出されていない状態を示している。利用者は、図５に示すように、取り出し口３の開口からウェットティシュ１０ａとウェットティシュ１０ｂを視認することができる。また、ウェットティシュ１０ａの折り曲げ部１０ａｄ及び部分１０ａａの一部が、ウェットティシュ１０ｂの部分１０ｂｂ上に乗り上げて、重ねて配置されている。すなわち、ウェットティッシュ１０ｂの折り曲げ部１０ｂｄは視認することができない。
このため、利用者は、容易にウェットティシュ１０ａを特定することができると共に、その折り曲げ部１０ａｄを摘むことで、容易に最初に引き出すべきウェットティシュ１０ａを引き出し、ウェットティシュ１０ｂの一部を取り出し口３からポップアップ状態で排出させることができる。
また、本実施の形態では、取り出し口３が包装体本体２の上面の略中央に設けられているので、ウェットティシュ１０ａの折り曲げ部１０ａｄをウェットティシュ１０ｂ上に重なるように設けると、取り出し口３から見えるウェットティシュは、ほとんどが最上位にあるウェットティシュ１０ａとなる。そして、利用者は、折り曲げ部１０ａｄを摘むことで、ウェットティシュ１０ａを引き出すことができる構成となっている。
【００３７】
（第２の実施の形態）
本実施の形態の多くの構成は、上述の第１の実施の形態と共通であるため、同様の構成は同一符号等として、説明を省略し、以下、相違点を中心に説明する。
本実施の形態では、図６に示すように、最初に取り出されるべきウェットティシュ１００ａの折り畳み構成が、上述の第１の実施の形態と異なる。
すなわち、図６に示すように、ウェットティシュ１００ａの部分１００ａａが、ウェットティシュ１００ａの部分１００ａｂの上に配置されている。
換言すれば、図３（ｂ）の第３折り曲げ線Ｌ３で、ウェットティシュ１００ａの部分１００ａａを部分１００ａｂの上に位置するように折り曲げ、折り曲げ部１００ａｄが形成される構成となっている。すなわち、本実施の形態では、折り曲げ線Ｌ３における折り返し（折り曲げ）方向が、上述の第１の実施の形態のウェットティシュ１０ａと反対方向となっている。
【００３８】
本実施の形態では、図７に示すように、ウェットティシュ１００ａの折り曲げ部１００ａｄ及び部分１００ａｂの一部が、次に取り出されるべきウェットティシュ１０ｂの部分１０ｂｂ上に配置されている。さらに、ウェットティシュ１００ａのシート端部であるウェットティシュ端部１００ａｅを含む部分１００ａａが、部分１００ａｂよりも取り出し口３側に配置されている。
【００３９】
このように、本実施の形態では、ウェットティシュ１００ａの第１折り曲げ線Ｌ１、折り曲げ部１００ａｄの形成方向である例えば、第３折り曲げ線Ｌ３に直交する方向におけるウェットティシュ端部１００ａｅ側から第１領域である例えば、部分１００ａａ、折り曲げ部１００ａｄ及び第２領域である例えば、部分１００ａｂが順に並んで形成される構成となっている。
すなわち、本実施の形態では、上述の第１の実施の形態と異なり、ウェットティシュ１００ａの部分１００ａａが、第１領域の一例となり、最も取り出し口３側に配置され、部分１００ａｂが第２領域の一例となり、部分１００ａａの下側に配置されることになる。
【００４０】
図８では、ウェットティシュ１００ａは、未だ利用者等によって取り出されていないため、ウェットティシュ１０ｂ等の一部が、取り出し口３から引き出されていない状態を示している。
利用者は、図８に示すように、取り出し口３の開口部からウェットティシュ１００ａと僅かにウェットティシュ１０ｂを視認することができる。
また、ウェットティシュ１００ａの折り曲げ部１００ａｄ及び部分１００ａａの一部が、ウェットティシュ１０ｂの部分１０ｂｂ上に乗り上げて、重ねて配置されているので、利用者は、容易にウェットティシュ１００ａを特定することができる。
【００４１】
さらに、本実施の形態では、図８に示すように、ウェットティシュ１００ａの折り曲げ部１００ａｄ及びウェットティシュ端部１００ａｅが、取り出し口３の開口部内に配置され、利用者が視認できる構成となっている。
このため、利用者は、容易にウェットティシュ１００ａを間違うことなく、特定することができると共に、その折り曲げ部１０ａｄ又はウェットティシュ端部１００ａｅを摘むことで、最初に引き出すべきウェットティシュ１００ａをより容易に引き出すことができ、ウェットティシュ１０ｂの一部を取り出し口３から排出させることができる。
【００４２】
（第３の実施の形態）
本実施の形態の多くの構成は、上述の第２の実施の形態と共通であるため、同様の構成は同一符号等として、説明を省略し、以下、相違点を中心に説明する。
本実施の形態では、図９に示すように、最初に取り出すべきウェットティシュ５００ａの第１領域である部分５００ａａが、上述の第２の実施の形態のウェットティシュ１００ａの部分１００ａａと相違する。
【００４３】
すなわち、図９及び図１０に示すように、本実施の形態では、ウェットティシュ５００ａの部分５００ａａのウェットティシュ端部５００ａｅ及び折り曲げ部５００ａｄが、取り出し口３に臨まされるように配置されている。また、取り出し口３に臨まされている部分５００ａａの面積が、取り出し口３の全体の面積の半分未満となっている。
さらに、ウェットティシュ５００ａのウェットティシュ端部５００ａｅが、取り出し口３の長手方向の開口中心線Ｅ−Ｅ’より取り出し口３の図において右端である取り出し口右端部３ｂ側に配置され、折り曲げ部５００ａｄは、ウェットティシュ端部５００ａｅより取り出し口３の右端側に配置されている。
そして、図１０に示す部分５００ａｂの取り出し口３に臨まされる面積が、部分５００ａａの取り出し口３に臨まされる面積より大きく構成されている。すなわち、端部５００ａｅから取り出し口３の図において左端側である取り出し口左端部３ａまでの取り出し口３における短手方向の距離が、部分５００ａａの取り出し口３短手方向と平行な方向における距離より長く形成されている。
【００４４】
このため、図１０に示すように、ウェットティシュ５００ａのウェットティシュ端部５００ａｅと、取り出し口３の取り出し口左端部３ａ（図において左端側）との間には、取り出し口３の短手方向の長さの半分以上の長さが確保される。
なお、本実施の形態では、取り出し口３は縦長に形成されているが、本実施の形態と異なり、取り出し口を横長に形成した場合は、取り出し口の長手方向の長さの半分以上の長さが確保される。
すなわち、ウェットティシュ端部５００ａｅと、取り出し口３の取り出し口左端部３ａとの間には、図３の第３折り曲げ線Ｌ３の形成方向と直交する方向における取り出し口３の長さの半分以上の長さが確保されることになる。
したがって、図１０及び図１１に示すように、利用者が矢印Ｆ方向から指等をウェットティシュ５００ａの部分５００ａａ（ウェットティシュ端部５００ａｅ）と部分５００ａｂの間に差し込む場合、その指等と取り出し口３との角度を小さくすることができ、指等をより差し込み易い構成となっている。このため、利用者にとってより摘み易い構成となっている。
【００４５】
本実施の形態では、折り曲げ部５００ａｄ及びウェットティシュ端部５００ａｅを図１０の開口中心線Ｅ−Ｅ’より取り出し口３の図において取り出し口右端部３ｂ側に配置した場合について説明したが、本発明は、これと異なり、折り曲げ部５００ａｄ及びウェットティシュ端部５００ａｅが取り出し口左端部３ａ側に配置される場合も含まれる。
この場合は、本実施の形態と同様に、ウェットティシュ５００ａのウェットティシュ端部５００ａｅと、取り出し口３の取り出し口右端部３ｂとの間には、取り出し口３の短手方向等の長さの半分以上の長さが確保され、利用者が指等をウェットティシュ５００ａの部分５００ａａ（ウェットティシュ端部５００ａｅ）と部分５００ａｂの間に差し込む場合、その指等と取り出し口３との角度を小さくすることができ、指等をより差し込み易い構成となる。
【００４６】
上述の実施の形態では、図１０に示すように、折り曲げ部５００ａｄと端部５００ａｅの両方が取り出し口３から臨まされている（露出されている）構成としたが、本発明はこれに限らず、端部５００ａｅのみを取り出し口３から臨まされている状態にウェットティシュ１０ａを折り曲げるようにしてもよい。
また、上述の実施の形態と異なり、ウェットティシュ１０ａの折り畳み方を変更するのではなく、取り出し口３の図１０等の短手方向の長さを変更することで、折り曲げ部５００ａｄ及び／又は端部５００ａｅを取り出し口３から臨ませる構成としても構わない。
【００４７】
また、ウェットティシュ１０ｂ以降のシートについては、隣接するシート同士が対向するようにしていれば、いかなる折り構造であっても構わず、上述の実施の形態で示した折り畳み構造に限定されるものではない。
【符号の説明】
【００４８】
１，１００，５００・・・ウェットティシュ包装体、２・・・包装体本体、３・・・取り出し口、３ａ・・・取り出し口左端部、３ｂ・・・取り出し口右端部、４・・・蓋部、４ａ・・・接触面、１０・・・ウェットティシュ積層体、１０ａ、１０ｂ１０ｃ、１０ｄ、１００ａ、５００ａ・・・ウェットティシュ、１０ａｄ、１０ｂｄ、１０ｃｄ、１０ｄｄ、１００ａｄ、５００ａｄ・・・折り曲げ部、１００ａｅ、５００ａｅ・・・ウェットティシュ端部、Ｌ１・・・第１折り曲げ線、Ｌ２・・・第２折り曲げ線、Ｌ３・・・第３折り曲げ線
【図１】
0005629196.tif 000002
【図２】
0005629196.tif 000003
【図３】
0005629196.tif 000004
【図４】
0005629196.tif 000005
【図５】
0005629196.tif 000006
【図６】
0005629196.tif 000007
【図７】
0005629196.tif 000008
【図８】
0005629196.tif 000009
【図９】
0005629196.tif 000010
【図１０】
0005629196.tif 000011
【図１１】
0005629196.tif 000012
【図１２】
0005629196.tif 000013
【図１３】
0005629196.tif 000014